(57)【要約】【課題】従来の家庭用小型地震計に更に新たな機能を備えさせたより好ましい家庭用小型地震計を提供する。【解決手段】地震の揺れを計測する計測手段２と、該計測手段２が出力した信号に基づいて震度を決定すると共に該震度と地震発生日時とをメモリ登録する制御手段３と、該制御手段３から出力された震度を表示し又はメモリ登録された震度と地震発生日時とを表示する表示手段５ａと、該震度と該震度に応じた対処方法とを音声により告知する音声手段５ｂとを備えている家庭用小型地震計において、前記表示手段は、地震の震度をバーグラフ１１にてリアルタイムに表示する震度リアルタイム表示手段１３を備えていることを特徴とする家庭用小型地震計。【選択図】図１
0003134806.tif 000002
【実用新案登録請求の範囲】
【請求項１】
地震の揺れを計測する計測手段と、該計測手段が出力した信号に基づいて震度を決定すると共に該震度と地震発生日時とをメモリ登録する制御手段と、該制御手段から出力された震度を表示し又はメモリ登録された震度と地震発生日時とを表示する表示手段と、該震度と該震度に応じた対処方法とを音声により告知する音声手段とを備えている家庭用小型地震計において、
前記表示手段は、地震の震度をバーグラフにてリアルタイムに表示する震度リアルタイム表示手段を備えていることを特徴とする家庭用小型地震計。
【請求項２】
前記音声手段は、地震発生時の心得を音声により告知する心得告知手段を備えていることを特徴とする請求項１に記載の家庭用小型地震計。
【請求項３】
前記音声手段は、過去に発生した大地震に関する情報を音声により告知する大地震情報告知手段を備えていることを特徴とする請求項１又は２に記載の家庭用小型地震計。
【請求項４】
前記音声手段は、一定の震度以下の場合に音声を発しないようにする音声ミュート手段を備えていることを特徴とする請求項１〜３のいずれかに記載の家庭用小型地震計。
【請求項５】
緊急警報放送を受信する緊急警報放送受信手段を備えさせたことを特徴とする請求項１〜４のいずれかに記載の家庭用小型地震計。
【請求項６】
インターネットに接続することにより緊急地震速報を表示する緊急地震速報表示手段を備えさせたことを特徴とする請求項１〜５のいずれかに記載の家庭用小型地震計。
【請求項７】
一酸化炭素センサーを内設させ、該一酸化炭素センサーが一定レベル以上の一酸化炭素を感知したときに警報を発する一酸化炭素中毒警報手段を備えさせたことを特徴とする請求項１〜６のいずれかに記載の家庭用小型地震計。
【請求項８】
前記表示手段は、光を点滅させる光点滅手段を備えていることを特徴とする請求項１〜７のいずれかに記載の家庭用小型地震計。
【請求項９】
ボタン等の操作手段に点字表記を備えさせたことを特徴とする請求項１〜８のいずれかに記載の家庭用小型地震計。
【請求項１０】
メモリーカードの使用を可能ならしめるメモリーカード手段を備えさせたことを特徴とする請求項１〜９のいずれかに記載の家庭用小型地震計。
【請求項１１】
前記計測手段は、地震のＰ波を計測するＰ波計測手段を備えていることを特徴とする請求項１〜１０のいずれかに記載の家庭用小型地震計。
【請求項１２】
太陽電池を備えさせたことを特徴とする請求項１〜１１のいずれかに記載の家庭用小型地震計。
【考案の詳細な説明】
【技術分野】
【０００１】
本考案は、家庭用小型地震計に関するものであり、特に、一般家庭において、地震発生時に該地震の震度を直ちに検出してこれを表示すると共に、該震度に応じた対処方法を直ちに音声により告知するようにした家庭用小型地震計に係るものである。
【背景技術】
【０００２】
本出願人は、実用新案登録第３１０９９８５号公報に示す家庭用小型地震計（以下「従来の家庭用小型地震計」という。）を既に提供している。
【０００３】
従来の家庭用小型地震計を図３〜図５に示す。
【０００４】
従来の家庭用小型地震計１は、地震の揺れを計測する計測手段２と、該計測手段２が出力した信号に基づいて震度を決定すると共に該震度と地震発生日時とをメモリ登録する制御手段３と、該制御手段３から出力された震度を表示し又はメモリ登録された震度と地震発生日時とを表示する表示手段５ａと、該震度と該震度に応じた対処方法とを音声により告知する音声手段５ｂとを備えている。
【０００５】
従来の家庭用小型地震計１は、更に、前記制御手段３から出力された震度が一定値以上のときに点灯する照明手段５ｃを備えている。
【０００６】
従来の家庭用小型地震計１は、バッテリ６ｂを内設している。
【０００７】
従来の家庭用小型地震計１は、前記バッテリを用いた任意の照明を可能とする懐中電灯機能を備えている。
【０００８】
従来の家庭用小型地震計１は、前記バッテリにより携帯電話に充電することができるようにするためにジャック６ｃを備えている。
【特許文献１】実用新案登録第３１０９９８５号公報
【考案の開示】
【考案が解決しようとする課題】
【０００９】
従来の家庭用小型地震計は、上述の如き機能を備えた好ましいものであるが、本考案は、従来の家庭用小型地震計に更に新たな機能を備えさせたより好ましい家庭用小型地震計を提供しようとしてなされたものである。
【課題を解決するための手段】
【００１０】
上記課題を解決するために、本考案は、下記の家庭用小型地震計を提供する。
【００１１】
（１）地震の揺れを計測する計測手段と、該計測手段が出力した信号に基づいて震度を決定すると共に該震度と地震発生日時とをメモリ登録する制御手段と、該制御手段から出力された震度を表示し又はメモリ登録された震度と地震発生日時とを表示する表示手段と、該震度と該震度に応じた対処方法とを音声により告知する音声手段とを備えている家庭用小型地震計において、
前記表示手段は、地震の震度をバーグラフにてリアルタイムに表示する震度リアルタイム表示手段を備えていることを特徴とする家庭用小型地震計（請求項１）。
【００１２】
（２）前記音声手段は、地震発生時の心得を音声により告知する心得告知手段を備えている（請求項２）。
【００１３】
（３）前記音声手段は、過去に発生した大地震に関する情報を音声により告知する大地震情報告知手段を備えている（請求項３）。
【００１４】
（４）前記音声手段は、一定の震度以下の場合に音声を発しないようにする音声ミュート手段を備えている（請求項４）。
【００１５】
（５）緊急警報放送を受信する緊急警報放送受信手段を備えさせる（請求項５）。
【００１６】
（６）インターネットに接続することにより緊急地震速報を表示する緊急地震速報表示手段を備えさせる（請求項６）。
【００１７】
（７）一酸化炭素センサーを内設させ、該一酸化炭素センサーが一定レベル以上の一酸化炭素を感知したときに警報を発する一酸化炭素中毒警報手段を備えさせる（請求項７）。
【００１８】
（８）前記表示手段は、光を点滅させる光点滅手段を備えている（請求項８）。
【００１９】
（９）ボタン等の操作手段に点字表記を備えさせる（請求項９）。
【００２０】
（１０）メモリーカードの使用を可能ならしめるメモリーカード手段を備えさせる（請求項１０）。
【００２１】
（１１）前記計測手段は、地震のＰ波を計測するＰ波計測手段を備えている（請求項１１）。
【００２２】
（１２）太陽電池を備えさせる（請求項１２）。
【考案の効果】
【００２３】
［請求項１の考案］
表示手段は、地震の震度をバーグラフにてリアルタイムに表示する震度リアルタイム表示手段を備えているため、地震時に刻々と変化する震度をリアルタイムに把握することができる。したがって、刻々と変化する震度に対応して行動することができる。
【００２４】
［請求項２の考案］
常時、心得告知手段の音声による告知を聞くことにより、地震発生時の心得を学習することができる。
【００２５】
［請求項３の考案］
過去に発生した大地震に関する情報を音声により告知する大地震情報告知手段により、常時、過去の地震災害に関する情報を聞き、防災意識を高めることができる。
【００２６】
［請求項４の考案］
地震の震度が一定以下の場合には、音声による告知がうるさく感じられることもある。このような場合に、音声ミュート手段により音声手段が音声を発しないようにすることができる。
【００２７】
［請求項５の考案］
緊急警報放送受信手段により、発生した地震に関する詳細な情報を知ることができる。
【００２８】
［請求項６の考案］
緊急地震速報表示手段により、インターネットを介して緊急地震速報を把握することができる。
【００２９】
［請求項７の考案］
一酸化炭素センサーが一定レベル以上の一酸化炭素を感知したときに警報を発する一酸化炭素中毒警報手段により、一酸化炭素中毒の発生を予防することができる。
【００３０】
［請求項８の考案］
表示手段は光を点滅させる光点滅手段を備えているため、聴覚障害者においても、地震発生時に表示手段に注意を向けることができる。
【００３１】
［請求項９の考案］
ボタン等の操作手段に点字表記を備えさせたため、視覚障害者においても、操作手段を操作することができる。
【００３２】
［請求項１０の考案］
メモリーカードの使用を可能ならしめるメモリーカード手段を備えさせたため、メモリーカードに地震に関するデータを記録させ、あるいは、音声を記録させたメモリーカードを差し替えることにより音声内容を変更することができる。
【００３３】
［請求項１１の考案］
計測手段は地震のＰ波を計測するＰ波計測手段を備えているため、地震のＰ波を表示手段に表示させることができる。
【００３４】
［請求項１２の考案］
太陽電池を備えているため、交流電源とバッテリ電源とが両方とも使用不能になった場合でも、家庭用小型地震計を使用することができる。
【考案を実施するための最良の形態】
【００３５】
まず、前記従来の家庭用小型地震計と共通する点について、説明する。
【００３６】
図３は、家庭用小型地震計１の一例を示す正面図である。
【００３７】
家庭用小型地震計１は、一般家庭、事務所等における適宜の位置に配設する。
【００３８】
符号２に示すものは、地震の揺れを計測する計測手段である。計測手段２は、地震の揺れを計測すると共にその揺れに応じて信号を出力する。
【００３９】
計測手段２は、一例として、振動センサ２ａと振動センサ２ｂとを水平方向に相互に９０°位相をずらして配設してなるＸ、Ｙ２軸の振動センサとする。
【００４０】
符号３に示すものは、制御手段である。制御手段３は、計測手段２が出力した信号に基づいて震度を決定すると共に該震度と地震発生日時とをメモリ登録する。
【００４１】
図４に示す事例における制御手段３は、Ａ／Ｄ変換部３ａと、演算処理部３ｂと、メモリ３ｃとを備えている。
【００４２】
Ａ／Ｄ変換部３ａは、計測手段２が出力した信号をＡ／Ｄ変換する。
【００４３】
演算処理部３ｂは、一例として、変換された値と基準値との差分をＸ軸とＹ軸とについて取得し、取得したデータをベクトル計算し、メモリ３ｃ内の震度（「１」〜「７」）のデータテーブルと比較して震度を決定する。
【００４４】
メモリ３ｃは、地震の震度と地震発生日とをメモリ登録する。一例として、メモリ３ｃは、震度２以上の地震については、震度と発生日とを最大で１０件メモリ登録する
【００４５】
符号４に示すものは操作手段である。操作手段４は、家庭用小型地震計１の各部を操作するための手段である。図示の事例においては、操作手段４として、ボタン４ａ、ボタン４ｂ、ボタン４ｃが配設されている。
【００４６】
符号５に示すものは、伝達手段である。
【００４７】
図示の事例における伝達手段５は、表示手段５ａと、音声手段（スピーカ）５ｂと、照明手段５ｃとを備えている。
【００４８】
表示手段５ａは、制御手段３から出力された震度を表示し又はメモリ登録された震度と地震発生日時とを表示する。表示手段５ａは、文字、数字、記号、図形等によりこれらの情報を表示する。即ち、表示手段５ａは、視覚を通じてこれらの情報を伝達する。表示手段５ａは、一例として、液晶により情報を表示する。
【００４９】
音声手段５ｂは、震度と該震度に応じた対処方法とを音声により告知する。即ち、音声手段５ｂは、聴覚を通じてこれらの情報を伝達する。
【００５０】
音声手段５ｂは、震度と該震度に応じた対処方法とを音声により例えば次のように告知する。なお、操作手段４のボタン操作により、例えば震度１〜２の場合に限り、音声手段５ｂが作動しないようにすることも可能である。
【００５１】
震度１の場合
警鐘音（例えば「ピン・ポン・ポン・ポーン」、以下同じ。）に続いて、下記の音声を発する。
「ただいま、震度１の揺れがありました。」
「非常時の備えは大丈夫ですか？」
【００５２】
震度２の場合
警鐘音に続いて、下記の音声を発する。
「ただいま、震度２の揺れがありました。」
「非常時の備えは大丈夫ですか？」
「テレビ、ラジオなどの情報に注意して下さい。」
【００５３】
震度３の場合
警鐘音に続いて、下記の音声を発する。
「ただいま、震度３の揺れがありました。」
「落下物などに注意して下さい。」
「ガスの元栓を閉めて下さい。」
「テレビ、ラジオなどの情報に注意して下さい。」
【００５４】
震度４の場合
警鐘音に続いて、下記の音声を発する。
「ただいま、震度４の揺れがありました。」
「靴、スリッパなどを履いて行動して下さい。」
「落下物などに注意して下さい。」
「ガスの元栓を閉めて下さい。」
「テレビ、ラジオなどの情報に注意して下さい。」
【００５５】
震度５弱の場合
警鐘音に続いて、下記の音声を発する。
「ただいま、震度５弱の揺れがありました。」
「落ち着いて行動して下さい。」
「揺れが収まるまでテーブルの下など安全な所に隠れて下さい。」
「靴、スリッパなどを履いて行動して下さい。」
「落下物などに注意して下さい。」
「避難口を確保して下さい。」
「ガスの元栓を閉めて下さい。」
「災害情報に注意して下さい。」
「避難する場合は、ブレーカーを落して下さい。」
【００５６】
震度５強以上（６弱、６強、７）の場合
警鐘音に続いて、下記の音声を発する。
「ただいま、震度５強（６弱、６強、７）の揺れがありました。」
「落ち着いて行動して下さい。」
「揺れが収まるまでテーブルの下など安全な所に隠れて下さい。」
「靴、スリッパなどを履いて行動して下さい。」
「落下物などに注意して下さい。」
「避難口を確保して下さい。」
「ガスの元栓を閉めて下さい。」
「災害情報に注意して下さい。」
「避難する場合は、ブレーカーを落して下さい。」
「救急の場合は、１１９番又は近くの人に連絡して下さい。」
【００５７】
照明手段５ｃは、前記制御手段３から出力された震度が一定値以上のとき（例えば震度３以上のとき）に点灯して照明する。照明手段５ｃは、一例として、ＬＥＤとする。
【００５８】
符号６に示すものは、電源手段である。
【００５９】
電源手段６は、ＡＣアダプタ接続用のジャック６ａと、バッテリ６ｂと、携帯電話充電用のジャック６ｃとを備えている。
【００６０】
家庭用小型地震計は、常時においては、ＡＣアダプタ接続用のジャック６ａを介して交流電源を使用する。
【００６１】
家庭用小型地震計は、バッテリ６ｂを用いた任意の照明を可能とする懐中電灯機能を有する。この懐中電灯機能は、特に非常時に使用されるが、常時使用可能である。
【００６２】
家庭用小型地震計は、バッテリ６ｂを備えているため、停電時又は交流電源を使用することができない場所においても、支障なく使用することができ。
【００６３】
なお、地震発生時以外の平時に家庭用小型地震計を人為的に揺らし、各震度における対処方法を音声手段５ｂに告知させることにより、各震度における対処方法を各人が予め記憶しておくことが望ましい。
【００６４】
次に、家庭用小型地震計に加えられた新たな機能ないし手段について、図１、図２を参照して説明する。
【００６５】
前記表示手段５ａは、地震の震度をバーグラフ１１にてリアルタイムに表示する震度リアルタイム表示手段１３を備えている。
【００６６】
前記音声手段５ｂは、地震発生時の心得を音声により告知する心得告知手段１５を備えている。
【００６７】
心得告知手段１５が音声により告知する地震発生時の心得は、例えば下記の如きものである。
【００６８】
［１］
『自分の身を守りましょう。
地震時には身を守ることが最優先です。
大きな揺れの際は、家具が転倒し、物が落下します。
丈夫なテーブルや机の下に身を伏せましょう。近くに机などがないときは、座布団などで頭を保護し、揺れが収まるのを待ちましょう。』
【００６９】
［２］
『すばやく消火しましょう。
火を使用していたら、すぐ消火しましょう。
消火のチャンスは３回あるので、予想外の大きな揺れで立っていられないような場合は、まず身の安全を確保し、揺れが収まったら消火を行いましょう。』
【００７０】
［３］
『落ち着いて行動しましょう。
室内は転倒・落下した物や割れたガラスの破片などが散乱し、大変危険です。
スリッパなどを履き、落ち着いて行動しましょう。』
【００７１】
［４］
『出口を確保しましょう。
揺れが収まったら、玄関や窓を開け、避難用の出口を確保しましょう。』
【００７２】
［５］
『あわてて外に出ないでください。
地震が来たからといって、あわてて外に飛び出すのは危険です。
落下物に直撃されるおそれがあります。』
【００７３】
［６］
『門や塀に近づかないでください。
屋外で揺れを感じたら、ブロック塀や門柱が倒壊する危険がありますので、すぐに離れましょう。
余震で倒れるおそれもありますので、近づかないようにしましょう。』
【００７４】
前記音声手段５ｂは、過去に発生した大地震に関する情報を音声により告知する大地震情報告知手段１７を備えている。
【００７５】
大地震情報告知手段１７は、例えば、過去に大地震があった月日にボタン１９ｃを押したときに、当該大地震に関する情報を音声により告知する。
【００７６】
すなわち、一例として、関東大震災は、１９２３年（大正１２年）９月１日に発生しているため、使用者が９月１日にボタン１９ｃを押したときには、大地震情報告知手段１７は、関東大震災に関する地震の名称、震度、被害の内容を音声により説明する。
【００７７】
前記音声手段５ｂは、一定の震度以下の場合に音声を発しないようにする音声ミュート手段２１を備えている。
【００７８】
すなわち、音声手段５ｂは、地震が発生しても、震度が一例として「２」以下の場合には、音声ミュート手段２１により音声を発しないようにすることができる。
【００７９】
家庭用小型地震計１には、緊急警報放送を受信する緊急警報放送受信手段２３を備えさせる。
【００８０】
緊急警報放送受信手段２３は、テレビ又はラジオの受信装置であって、常時待機状態にあり、放送局が緊急警報信号を前置して放送を行ったときに、自動的に作動して緊急警報放送を受信するものである。
【００８１】
家庭用小型地震計１には、インターネットに接続することにより緊急地震速報を表示する緊急地震速報表示手段２５を備えさせる。
【００８２】
また、家庭用小型地震計１には、一酸化炭素センサー２７を内設させ、該一酸化炭素センサー２７が一定レベル以上の一酸化炭素を感知したときに警報を発する一酸化炭素中毒警報手段２９を備えさせる。
【００８３】
前記表示手段５ａは、光を点滅させる光点滅手段３１を備えている。
【００８４】
ボタン１９ａ〜１９ｄ等の操作手段１９に点字表記３３を備えさせる。操作手段１９は、図３〜図５に示す事例における操作手段４に対応するものであって、家庭用小型地震計１の各部を操作するための手段である。
【００８５】
家庭用小型地震計１には、メモリーカードの使用を可能ならしめるメモリーカード手段３５を備えさせる。
【００８６】
メモリーカード手段３５は、メモリーカードスロット３７を備え、地震に関するデータ、音声による情報等を記録したメモリーカードを該メモリーカードスロット３７に挿脱自在となす。
【００８７】
前記計測手段２は、地震のＰ波を計測するＰ波計測手段３９を備えている。
【００８８】
すなわち、計測手段２は、一例として、３軸加速度センサーを用いることにより、地震のＰ波をも計測することができるようにしたものである。
【００８９】
家庭用小型地震計１には、太陽電池４１を備えさせる。
【００９０】
操作手段１９におけるボタン１９ａは、（１）計測状態における音声による告知を停止し、（２）計測を開始させ、（３）計測状態における夜間非常灯を消灯させ、又は（４）日付、時刻合わせ時のキャンセルを行う際に押圧するものである。
【００９１】
操作手段１９におけるボタン１９ｂは、（１）計測した最新１０件のデータを呼び出し、又は（２）日付、時刻合わせ時の決定を行う際に押圧するものである。
【００９２】
操作手段１９におけるボタン１９ｃは、（１）予め記録されている過去２５件の大地震データの音声告知を行い、又は（２）前記地震発生時の心得を再生する際に押圧するものである。
【００９３】
操作手段１９におけるボタン１９ｄは、一定の震度以下の揺れを感知したときの音声手段（スピーカー）５ｂのＯＮ／ＯＦＦ設定を行い、又は（２）日付、時刻合わせ時のカウンターを操作する際に押圧するものである。
【００９４】
なお、符号４３に示すものは、夜間（例えば、午後４時〜翌朝７時）に揺れを感知したときに点灯する夜間非常灯である。
【図面の簡単な説明】
【００９５】
【図１】家庭用小型地震計の一例を示す正面図である。
【図２】同上家庭用小型地震計を示す斜視図である。
【図３】別の家庭用小型地震計を示す正面図である。
【図４】同上家庭用小型地震計の回路概略図である。
【図５】同上家庭用小型地震計における処理の一例を示す流れ図である。
【符号の説明】
【００９６】
１  家庭用小型地震計
２  計測手段
２ａ  振動センサ
２ｂ  振動センサ
３  制御手段
３ａ  Ａ／Ｄ変換部
３ｂ  演算処理部
３ｃ  メモリ
４  操作手段
４ａ  ボタン
４ｂ  ボタン
４ｃ  ボタン
５  伝達手段
５ａ  表示手段
５ｂ  音声手段
５ｃ  照明手段
６  電源手段
６ａ  ＡＣアダプタ接続用のジャック
６ｂ  バッテリ
６ｃ  携帯電話充電用のジャック
１１  バーグラフ
１３  震度リアルタイム表示手段
１５  心得告知手段
１７  大地震情報告知手段
１９  操作手段
１９ａ  ボタン
１９ｂ  ボタン
１９ｃ  ボタン
１９ｄ  ボタン
２１  音声ミュート手段
２３  緊急警報放送受信手段
２５  緊急地震速報表示手段
２７  一酸化炭素センサー
２９  一酸化炭素中毒警報手段
３１  光点滅手段
３３  点字表記
３５  メモリーカード手段
３７  メモリーカードスロット
３９  Ｐ波計測手段
４１  太陽電池
４３  夜間非常灯
【図１】
0003134806.tif 000003
【図２】
0003134806.tif 000004
【図３】
0003134806.tif 000005
【図４】
0003134806.tif 000006
【図５】
0003134806.tif 000007